(57)【要約】本発明は水領域用の可変フロア（１）に関する。可変フロア（１）は水領域に固定した固定フロア（１０６）に配置するためのベース部（２）と、固定フロア（１０６）またはベース部（２）に対して傾斜する可変フロア（１）の上面の勾配を波の進行方向に交差する第１方向及び該第１方向に交差する第２方向に調整する手段とを備えている。また、このような可変フロア（１）と、間隔が狭くなるように交差して設置した両サイドウォールと、可変フロア（１）の組立部品キットと、波性状制御方法とを有するウェーブプール（１００）についても、ここに開示する。
2005524789.tif 000002
【特許請求の範囲】
【請求項１】
水領域の固定フロアの上または内部に配置するためのベース部と、前述のベース部とは反対側の上面と、前述の上面の勾配を前述の固定フロアまたはベース部に対して第１方向及び該第１方向に交差する第２方向の両方向に調整する手段とを備える水領域用フロア。
【請求項２】
前記第２方向は、前述の上面を通過する波の予測進行方向とほぼ平行になることを特徴とする請求項１のフロア。
【請求項３】
前記上面は複数のセグメントで構成し、また、前述の上面の調整手段は、前述のセグメントの相対的な高さを変えることにより、前記上面の一部を前述の第１と第２方向のいずれかまたは両方向に調整できるようにしたことを特徴とする請求項１または２のフロア。
【請求項４】
前記上面は、正方形または三角形のプレート（複数）を格子状に並べて形成したことを特徴とする請求項３のフロア。
【請求項５】
各セグメントは、隣接するセグメント（複数）にピボットリンケージにより連結したことを特徴とする請求項３または４のフロア。
【請求項６】
前述の上面の勾配調整手段の動作がコントローラにより行われ、そのコントローラが、前述の上面の勾配調整手段を制御してあらかじめ複数設定されたフロアの形状の中から選択した一つのフロア形状を形成できるようにプログラムされていることを特徴とする、請求項３ないし５のいずれかのフロア。
【請求項７】
各セグメントは、水よりも比重が小さいことを特徴とする請求項３ないし６のいずれかのフロア。
【請求項８】
前述の上面の勾配調整手段は、各セグメントまたはセグメント群の高さを調整することで、前記フロアの勾配に部分的変形（複数）を形成できるようにしたことを特徴とする、請求項３ないし７のいずれかのフロア。
【請求項９】
前述の上面を覆う弾性シートを備え、該弾性シートは前記上面の形状に適合することを特徴とする請求項１ないし８のいずれかのフロア。
【請求項１０】
前記弾性シートは、衝撃吸収材により形成されているか、または、衝撃吸収材を覆うことを特徴とする請求項９のフロア。
【請求項１１】
前記上面に断熱素材を含むことを特徴とする請求項１ないし１０のいずれかのフロア。
【請求項１２】
前記上面は水が通過するようにし、該上面の下の領域を分割する壁（複数）を該上面の下に備えたことを特徴とする請求項１ないし１１のいずれかのフロア。
【請求項１３】
請求項１ないし１２のいずれかに記載のフロアを備えたウェーブプール。
【請求項１４】
前記ウェーブプール内の波の進行方向に沿って間隔が狭くなるように交差したサイドウォール（複数）を備えた請求項１３のウェーブプール。
【請求項１５】
前記サイドウォールの交差角度を調整する手段を備えた請求項１４のウェーブプール。
【請求項１６】
前述の上面の勾配調整手段と、前記サイドウォールの交差角度調整手段は、どちらもコントローラ制御により作動でき、該コントローラには前記フロアと前記サイドウォールの構成をメモリに複数設定しておくことを特徴とする請求項１５のウェーブプール。
【請求項１７】
前記フロア上を進行する波を発生する造波装置を備え、該造波装置は様々なサイズの波を発生するよう制御できるようにしたことを特徴とする請求項１３ないし１６のいずれかのウェーブプール。
【請求項１８】
前記フロアの上面を集合状に形成する複数のプレートと、ベース上に該プレートを配置する配置手段と、該配置手段を調整する調整手段とを備え、この調整手段が前記上面の勾配全体を前記固定フロアに対して第１方向及び該第１方向に交差する第２方向に調整できるようにした、水領域用フロアを構成するのに適した組立部品キット。
【請求項１９】
前記調整手段は自動動作及び遠隔操作が可能で、また、前記組立部品キットは前記調整手段を遠隔操作するコントローラをも備えることを特徴とする請求項１８の組立部品キット。
【請求項２０】
第１方向及び該第１方向に交差する第２方向の両方に勾配を制御可能に可変する上面を備えた水領域用フロアを備えるようにすること、及び、前述の上面の勾配を必要に応じて前述の第１方向及び該第１方向に交差する第２方向に調整して所望の波性状を発生させるようにすることを含む水領域での波性状制御方法。
【請求項２１】
前記フロア上の波の予測進行方向とほぼ平方方向及び前記フロア上の波の予測進行方向にほぼ交差する方向に必要な勾配の形状を特定することによって所望の波性状を発生させるようにすること、及び、特定した勾配を形成するために前述の上面の勾配を調整することを含む請求項２０の方法。
【請求項２２】
前記水領域がウェーブプールであり、また、前記方法は該ウェーブプール内を波の進行方向に沿って間隔が狭くなるように交差した可動式サイドウォールを備えるようにすること、及び、該サイドウォールの交差角度を必要に応じ調整して所望の波性状を発生させるようにすることを含むことを特徴とする請求項２０または２１の方法。
【請求項２３】
前記フロアは制御可能に可変するフロアセグメント（複数）を格子状に並べたものから構成し、また、前記方法は該フロアセグメントの相対的な高さを調整して該フロアの勾配に部分的変形（複数）を設けるようにすること、及び、該変形箇所の近くの波性状を変化させられるようにすることをも含むことを特徴とする請求項２０ないし２２のいずれかの方法。
【請求項２４】
自動動作及び遠隔操作が可能な前記上面の調整手段を備えるようにすること、及び、あらかじめフロアの形状をメモリに複数設定したコントローラにより前記調整手段を制御するようにすることをも含む請求項２０ないし２３のいずれかの方法。
【請求項２５】
上面を有するフロアと、前述の上面の勾配を波の進行方向と交差する実体要素のある方向に調整する手段とを備えるウェーブプール。
【請求項２６】
前記ウェーブプール内における波の進行方向に沿って間隔が狭くなるように交差させることのできる可動式のサイドウォール（複数）と、該サイドウォールの交差角度を調整する手段とを備える請求項２５のウェーブプール。
【請求項２７】
前記フロアは制御可能に可変するフロアセグメント（複数）を格子状に並べたものから構成し、また、前述の上面の勾配を調整する手段により前記フロアセグメントの相対的な高さを調整して前記フロアの勾配に部分的変形（複数）を設けられるようにしたことを特徴とする、請求項２５または２６のウェーブプール。
【請求項２８】
水領域用フロアは少なくとも該水領域内で波の進行方向に対する実体交差要素のある第１方向に制御可能に可変する上面を備えるようにすること、及び、前述の上面の勾配を必要に応じて前述の第１方向に調整して所望の波性状を発生させるようにすることを含む、水領域での波性状制御方法。
【請求項２９】
前記水領域がウェーブプールであり、及び、前記方法が、該ウェーブプール内の波の進行方向に沿って間隔が狭くなるように交差した可動式サイドウォール（複数）を備え、該サイドウォールの交差角度が必要に応じ調整でき所望の波性状が発生可能なことを特徴とする請求項２８の方法。
【請求項３０】
前記フロアは制御可能に可変なフロアセグメント（複数）を格子状に並べたものから構成し、並びに、前記方法は、該フロアセグメントの相対的な高さを調整して該フロアの勾配に部分的変形（複数）を設けること、及び、該変形箇所の近くの波性状を変化させられるようにすることをも含むことを特徴とする請求項２８または２９の方法。
【請求項３１】
添付の図面を参照しここに詳述した水領域用フロア。
【請求項３２】
添付の図面を参照しここに詳述したウェーブプール。
【請求項３３】
添付の図面を参照しここに詳述した水領域での波性状制御方法。
【発明の詳細な説明】
【技術分野】
【０００１】
本発明は、波の性状を制御する装置及びその方法に関する。特に、サーフィン用の波を発生させ伝播させるウェーブプール、及び、サーフィン用の波の性状制御方法に関するが、それらに限定するものではない。
【背景技術】
【０００２】
近年、水のレジャー分野においてウェーブプールが開発され、熱心なサーフィン愛好家や波が必要なレジャーを楽しむ人々に、新たな人工的アドベンチャースポーツの機会を提供している。このような活動の充実度は、波の性状や、活用できた波の数、波の種類により決定される。同様に、海岸に打ち寄せる波の性状も、レジャー体験の充実度を左右する。
【発明の開示】
【発明が解決しようとする課題】
【０００３】
サーフィン体験に影響を及ぼす波の性状で重要なのは、波の崩れ方や、ピールアングル、波が打ち寄せるスピードなどである。サーファーの経験やレベル、嗜好によって求められる波の性状は違ってくる。
【０００４】
そこで本発明は、水領域用のフロア、ウェーブプール、及び自由に波の性状を修正することのできる波性状制御方法、または、少なくとも有用な代替方法を一般に提供することを目的とする。
【０００５】
本発明のその他の目的は、以下の詳細な説明から明らかになるだろう。
【課題を解決するための手段】
【０００６】
本発明の一態様では、水領域の固定フロアの上または内部に配置するためのベース部と、前述のベース部とは反対側の上面と、前述の上面の勾配を前述の固定フロアまたはベース部に対して第１方向及び該第１方向に交差する第２方向の両方向に調整する手段とを備える水領域用フロアを提供する。
【０００７】
前記第２方向は、前述の上面を通過する波の予測進行方向とほぼ平行になるのが望ましい。
【０００８】
前記上面は複数のセグメントで構成し、また、前述の上面の調整手段は、前述のセグメントの相対的な高さを変えることにより、前記上面の一部を前述の第１と第２方向のいずれかまたは両方向に調整できるようにするのが望ましい。
【０００９】
前記上面は、正方形または三角形のプレート（複数）を格子状に並べて形成するのが望ましい。
【００１０】
各セグメントは、隣接するセグメント（複数）にピボットリンケージにより連結するのが望ましい。
【００１１】
前述の上面の勾配調整手段の動作をコントローラにより行い、そのコントローラが前述の上面の勾配調整手段を制御してあらかじめ複数設定されたフロアの形状の中から選択した一つのフロア形状を形成できるようにプログラムされていることが望ましい。
【００１２】
各セグメントは、水よりも比重が小さいものが望ましい。
【００１３】
前述の上面の勾配調整手段は、各セグメントまたはセグメント群の高さを調整することで、前記フロアの勾配に部分的変形（複数）を形成できるようにするのが望ましい。
【００１４】
前記フロアは前述の上面を覆う弾性シートを備え、該弾性シートは前記上面の形状に適合するのが望ましい。
【００１５】
前記弾性シートは、衝撃吸収材により形成されているか、または、衝撃吸収材を覆うものが望ましい。
【００１６】
前記上面は断熱素材を含むものが望ましい。
【００１７】
前記上面は水が通過するようにし、該上面の下の領域を分割する壁（複数）を該上面の下に備えるようにするのが望ましい。
【００１８】
本発明の別の態様では、上述のフロアを備えたウェーブプールを提供する。
【００１９】
前記ウェーブプールは、該ウェーブプール内の波の進行方向に沿って間隔が狭くなるように交差したサイドウォール（複数）を備えるのが望ましい。
【００２０】
前記ウェーブプールは、前記サイドウォールの交差角度を調整する手段を備えるのが望ましい。
【００２１】
前述の上面の勾配調整手段と、前記サイドウォールの交差角度調整手段は、どちらもコントローラ制御により作動でき、該コントローラには前記フロアと前記サイドウォールの構成をメモリに複数設定しておくようにするのが望ましい。
【００２２】
前記フロアは、該フロア上を進行する波を発生する造波装置を備え、該造波装置は様々なサイズの波を発生するよう制御できるようにするのが望ましい。
【００２３】
本発明のまた別の態様では、前記フロアの上面を集合状に形成する複数のプレートと、ベース上に該プレートを配置する配置手段と、該配置手段を調整する調整手段とを備え、この調整手段が前記上面の勾配全体を前記固定フロアに対して第１方向及び該第１方向に交差する第２方向に調整できるようにした、水領域用フロアを構成するのに適した組立部品キットを提供する。
【００２４】
前期組立部品キットは、前記調整方法について自動動作及び遠隔操作が可能で、また、前記組立部品キットには前記調整手段を遠隔操作するコントローラをも備えるのが望ましい。
【００２５】
本発明のまた別の態様では、第１方向及び該第１方向に交差する第２方向の両方に勾配を制御可能に変更する上面を備えた水領域用フロアを備えるようにすること、及び、前述の上面の勾配を必要に応じて前述の第１方向及び該第１方向に交差する第２方向に調整して所望の性状の波を発生させるようにすることを含む水領域での波性状制御方法を提供する。
【００２６】
前記方法は、該フロア上の波の予測進行方向とほぼ平方方向及び前記フロア上の波の予測進行方向にほぼ交差する方向に必要な勾配の形状を特定することによって所望の波性状を発生させるようにすること、及び、特定した勾配を形成するために前述の上面の勾配を調整することを含むのが望ましい。
【００２７】
前記水領域がウェーブプールであり、また、前記方法は該ウェーブプール内を波の進行方向に沿って間隔が狭くなるように交差した可動式サイドウォールを備えるようにすること、及び、該サイドウォールの交差角度を必要に応じ調整して所望の性状の波を発生させるようにすることを含むのが望ましい。
【００２８】
前記フロアは制御可能に可変するフロアセグメント（複数）を格子状に並べたものから構成し、また、前記方法は該フロアセグメントの相対的な高さを調整して該フロアの勾配に部分的変形（複数）を設けるようにすること、及び、該変形箇所の近くの波性状を変化させられるようにすることを含むのが望ましい。
【００２９】
前記方法は、自動動作及び遠隔操作が可能な前記上面の調整手段を備えるようにすること、及び、あらかじめフロアの形状をメモリに複数設定したコントローラにより前記調整手段を制御するようにすることを含むのが望ましい。
【００３０】
本発明のまた別の態様では、上面を有するフロアと、前述の上面の勾配を波の進行方向と交差する実体要素のある方向に調整する手段とを備えるウェーブプールを提供する。
【００３１】
前記ウェーブプールは、該ウェーブプール内における波の進行方向に沿って間隔が狭くなるように交差させることのできる可動式のサイドウォール（複数）と、該サイドウォールの交差角度を調整する手段とを備えるのが望ましい。
【００３２】
前記フロアは制御可能に可変するフロアセグメント（複数）を格子状に並べたものから構成し、また、前述の上面の勾配を調整する手段により前記フロアセグメントの相対的な高さを調整して前記フロアの勾配に部分的変形（複数）を設けられるようにするのが望ましい。
【００３３】
本発明のまた別の態様では、水領域用フロアは少なくとも該水領域内で波の進行方向に対する実体交差要素のある第１方向に制御可能に可変する上面を備えるようにすること、及び、前述の上面の勾配を必要に応じて前述の第１方向に調整して所望の性状の波を発生させるようにすることを含む、水領域での波性状制御方法を提供する。
【００３４】
前記水領域がウェーブプールであり、また、前記方法は該ウェーブプール内を波の進行方向に沿って間隔が狭くなるように交差した可動式サイドウォール（複数）を備えるようにすること、及び、該サイドウォールの交差角度を必要に応じ調整して所望の波性状を発生させるようにすることを含むのが望ましい。
【００３５】
前記フロアは制御可能に可変するフロアセグメント（複数）を格子状に並べたものから構成し、また、前記方法は、該フロアセグメントの相対的な高さを調整して該フロアの勾配に部分的変形（複数）を設けること、及び、該変形箇所の近くの波性状を変化させられるようにすることをも含むのが望ましい。
【００３６】
新規と考えられる本発明のその他の態様については、以下に添付図面を参照して実施例によってのみ詳述する。
【発明を実施するための最良の形態】
【００３７】
本発明は、水を伝播する波の性状をコントロールするための水領域用の可変フロアに関する。本発明は、ウェーブプールにおいても使用できる。前記可変フロアの勾配全体が、波の進行方向および該進行方向と交差する方向に変化するようになっており、波の性状をコントロールするのに特に有用である。
【００３８】
本発明は、国際特許公報WO  ０１／４２５９２に記載の発明を適宜盛り込んだもので、同公報に記載のウェーブプールを構成するのにも利用できる。本発明を、WO  ０１／４２５９２に記載のプールに活用すれば、波の性状をより強力にコントロールできる。以下の説明は、基本的にウェーブプールにおける本発明の利用に関するものだが、本発明は、海岸や湖岸に到来する波の性状をコントロールするのにも応用できる。
【００３９】
添付の図面に、ウェーブプールの概略図を矢印１００で示す。特に記載がない限り、同じ番号は、同じ構成要素を指すものとする。ウェーブプール１００は、２面のエンドウォール１０１、１０２及び２面のサイドウォール１０３、１０４からなる。波は、エンドウォール１０１の造波装置１０５により発生し、ウェーブプール１００を矢印Wの方向に進行する。サイドウォール１０３、１０４は、エンドウォール１０２に向かい交差するようにしてもよい。
【００４０】
ウェーブプールには、固定フロア１０６を設置することもできる。固定フロア１０６の上方に、符号１で示す可変フロアを設置する。可変フロア１は、固定フロア１０６の上または内部に設置されたベース部２を有している。ベース部２は、可変フロア１を支持し、可変フロア１を固定フロア１０６の上に設置するのに適していればどのような形状でもよい。ベース部は、各支脚３の個々のベースとなっていても、支脚３全体に固定したベースプレートとなっていてもよく、固定フロア１０６にボルト留めするかまたはレール上に設置し、波の衝撃力に対し構造強度と安定性を得るようにする。
【００４１】
図２に示すように、可変フロア１は、自由に調節可能な複数の支脚で支えることができる。支脚の一つを符号３で示す。調節の手段は、手動でも自動でもよく、ネジ接続やマルチポジションのボルト接続、または、支脚単位の流体圧機械などの様々な方法がある。
【００４２】
可変フロア１は、十分な深さがあれば既存のウェーブプールにも設置できる。添付の図面はすべて、フロアが平面なウェーブプールに設置した可変フロア１を図示しているが、既存のウェーブプールのフロアが平面形状でない場合も、支脚３をいくつか適宜選んで長さを調節し、その形状に適合させることができる。
【００４３】
各支脚３の調節は、適当な通信手段５を用い、コントローラ４により自動で制御することができ、従って遠隔操作が可能である。自動制御は、例えば油圧や電気モータにより支脚３のシャフトをネジ接続点で回転させて行う。この場合、通信手段５には電線や光ケーブルなどを用いるとよい。コントローラ４は、マイクロプロセッサまたはマイクロコントローラをベースに構築する。コントローラ４のメモリには支脚３の調節位置をいくつかあらかじめ設定しておき、そのうちの一つを選択すれば、可変フロア１を特定の形状にできるようにする。さらに、可変フロアをウェーブプールに設置する場合は、プールの体積をほぼ一定に保てるように調節位置を設定しておくことができるため、調節位置を選択変更するたびにプールの水を排出または追加する必要がなく、より速やかな調節位置の変更が可能になる。
【００４４】
安全対策として、軟い「インパクト」バッグ６で可変フロア１を保護してもよい。インパクトバッグ６は、種々の素材で作ることができるが、衝撃力により受ける衝撃を吸収できると共に、可変フロア１の上面の形状に適合できる柔軟性があるものでなければならない。この目的に適した素材が数多くあることは、当業者には自明である。
【００４５】
図１に示すように、可変フロア１は、複数のセクションに分割することができる。分割したセクションのうちの２つを、プレート７A及びプレート７Bで示す。各分割セクションは、単独で調節可能な支脚３を備え、これにより支持および設置されている。分割セクションは、通常、図１のように正方形のプレートを格子状に並べたものでよいが、長方形や三角形のプレートを格子状に並べたものでもよい。各プレートには、対応する支脚３を固定接合してもよいし、回転可能に接合してもよい。必要に応じて、プレートの数を調節したり、その他の形状の分割セクションを使用することができる。本実施例の場合は、各プレートの一辺は２ｍ程度でよい。より簡単な構成の実施例においては、一枚のプレートで可変フロアを構成することもできる。この場合、一枚プレートは必ずしも平面でなくともよく、2つの軸に沿って自由に傾斜させることができる。この軸は、可変フロア上側の体積を一定に保てるように、可変フロアの中心に位置しているのが望ましい。可変フロアを一枚プレートで構成する場合も、複数に分割したプレートで構成する場合も、波の進行方向の勾配は一定になるよう設定し、波の進行方向と交差する方向の勾配のみ変化させる。しかし、この実施例では、様々に波性状を変化する波を起こすための自由度が低下する点で、やや不利であると考えられている。
【００４６】
可変フロア１においては、水面に対して傾斜する勾配全体を、ウェーブプール１００の縦と横の２方向に設定できることが重要になる。この可変フロア１は、波の進行方向Wに沿って上昇させることができる。全体的な上昇率は、支脚３の長さを調節してコントロールする。ウェーブプール１００の縦方向の勾配に加わる変化を、図２の矢印Aで示す。さらにこの可変フロアは、ウェーブプール１００の横方向にも勾配全体を設定できるように構成できる。添付の図面には、プールの横方向の勾配は図示されていないが、図３の矢印Bで示すように、支脚３の長さを調節すれば、プールを横断する勾配を左右どちら向きにでも必要に応じて設定することができる。
【００４７】
可変フロア１の勾配は、プール内の全方向に、水平から約１：１まで変化させることができる。可変フロア１は、プール１００の全面に設置してもよいし、もしくは、部分的に設置して、局所的に崩れる波を特別に発生させてもよい。
【００４８】
一般的には、可変フロア１をプールの縦方向に上昇させると、波は浅瀬に向かって進み、最終的に崩れる。また、可変フロア１をプールの横方向に上昇させると、反射と深度に差異が生じ、波はピーリングしながら崩れる。ピーリングとは、波の一部（浅い方）が他の部分より先に崩れ始めて、その状態のまま波がプールを進んでいく状態をいう。従って、サーファーは、崩れる前後の両方の波に面することができ、海での場合と同様に、波の操作や、波のショルダーに乗るといったことができるようになる。ショルダーとは、崩れる直前の波が一番急な部分のことである。
【００４９】
プールの縦横に設定する可変フロア１の勾配は、一定平面でなくてもよい。例えば、急勾配な部分を設けて、そこを越えてゆく波の性状が変化するようにしてもよい。この部分的な勾配は、プレートを個々にまたはグループで昇降させて作る。エンドウォール１０１からの波を最初に受けるプレートは、固定フロア１０６の造波装置１０５に直近の部分と可変フロア１の残りの部分との間の移行点として用いることができる。求める波性状により、プールのフロア形状も多種多様になるのは、当業者には自明のことである。
【００５０】
波力に対する剛性を高めるため、複数のプレートを回転自在にブラケット連結してもよい（図示しない）。このように複数のプレートを連結した場合は、そのうちの数枚のプレートを選んで支脚３を設置するとよい。このブラケットとプレートにより、隣接する支脚間の高低差を橋渡しする。また、プレートをそれぞれの支脚に回転自在に接合して、支脚間の高低差をならし、上面をより滑らかにすることもできる。
【００５１】
別の実施例においては、不透水性の素材で形成した複数の浮揚セグメントで可変フロアを構成することもできる。例えば、適当なプラスチック素材や発泡体のような浮力材で満たしたようなものでよい。このセグメントのコーナを緩くブラケット接続し、切れ目のないカーペット状の浮揚ユニットを形成して、可変フロアを構成する。本実施例におけるセグメントの形状は、三角形でも、その他の所望の形状でもよい。このプラスチック製ユニットの上面を、安全性のために衝撃吸収材で覆ってもよい。また、可変フロアにプールの熱損失を防ぐ断熱効果を持たせてもよい。
【００５２】
浮揚ユニットを有する可変フロアには、その水中部分の制御のために、セグメントのコーナに結合する一連のケーブルを配してもよい（支脚３の代わりとして）。ケーブルは、固定フロア１０６に対して垂直に下ろし、プールの壁を通りぬける一連の滑車を通じて、コントロールルームまで連結する。この実施例においては、ケーブルを通信手段５として用いる。各ケーブルは、ステッピングモータによって順に制御されるウィンチにそれぞれ取り付ける。このモータは、ステッパーがウィンチの回転数をカウントすると同時に、コンピュータにより制御できる。また、ウィンチとワイヤ長を較正することにより、ウィンチを前後に回転させてプールフロアを正確に動かすことができる。ウィンチは、可変フロアを浮揚させる浮力に対抗して、可変フロアを水中で下方に引き寄せる。
【００５３】
前記の各ケーブルに過度の負荷がかかるのを防ぐためには、システム全体をコンピュータにより制御するとよい。このコンピュータは、ウィンチ動作の記録と、可変フロア調節のための計算も同時に行う。例えば、ある一本のワイヤを大きく動かす時は、その周りのワイヤも併せて調節しないと、一本のワイヤにかかる負荷が大きくなり、破損に繋がる。支脚３使用時にも、勾配を広範囲に、または、大きく動作させる必要がある場合は、支脚３への負荷について対策をとる必要がある。
【００５４】
前記ウィンチ（または、支脚やその他の可変フロア調節用装置）を制御するソフトウェアには、ユーザがプールフロアのオプションを選択し、その選択に従いコンピュータ制御でフロアの調節を行うことにより構成しうる多種多様なフロア形状を組み込んでおく。例えば、傾斜の緩やかなプールで柔らかく崩れる波を作るためのオプションもあれば、急勾配なプールのオプションもある。
【００５５】
プールフロアは、伸縮性皮膜９（図２参照）を用いて覆ってもよい。軟い「インパクト」バッグ６の使用時には、それごと覆う。伸縮性皮膜９の素材は、ゴムや新式の弾性プラスティックなどでよい。伸縮性皮膜９の素材が、十分な厚みのあるゴムなどの適当なものであれば、伸縮性皮膜自体を衝撃吸収層としてもよい。一般的には、強度と弾力性を併せ持つ素材が、伸縮性皮膜９の素材として使われる。伸縮性皮膜９は、ウェーブプール１００のフロアやウォールの端に取り付け、皮膜の下の浮揚部材や支脚によって、岩礁の形状に合わせて引き伸ばすようにしてもよい。
【００５６】
可変フロア１は、その上面の下側の部分をプール全体に設置することにより、可変フロアの下層にくる水を分断し、波が崩れる際に可変フロア下層から水が流出するのを最小限に留めることができる。また、下層の水をスポンジのように用いて、可変フロアの上層の水を波が伝播したり崩れたりする際の可変フロアの動きを抑えることができ、それにより可変フロア全体に安定性をもたらす。各セグメント群の各セグメントには、縁にスカートを取り付けてウェーブプールのベースまで下ろし、その各セグメント群の各セグメント下方に区画を形成してもよい。スカート８の一例を図３に示す。
【００５７】
可変フロアの形状は、プールにおける波の変化をシミュレートする数値モデリングソフトウェアを用いて、あらかじめ設定しておいてもよい。または、世界的なサーフィンの名所の海底を調査研究するなどして、ある特定水準の強度で砕ける波を発生させるのに必要な可変フロアの形状を求め、これを設定しておくこともできる。しかし上述のように、可変フロア１の重要な特徴は、勾配を縦横の２方向に設定できることにある。勾配が２方向に可変するプールを提供することによって、様々に性状を変化させた波を発生させることができる。
【００５８】
可変フロア１の形状を制御するほか、サイドウォール１０３及び１０４を調節することもできる。前述の通り、両サイドウォールは、波の進行方向Wに沿って間隔が狭くなるように交差させてもよい。この交差角度の調整は、サイドウォール１０３、１０４の少なくとも一方を、図３の矢印CとDに示すように動かして行う。サイドウォール１０３、１０４は、必要に応じて平行になるようにオプションで調整できるようにしてもよい。また、サイドウォール１０３、１０４を、ほぼ中心軸で回転するようにして、プールの体積を一定に保つこともできる。サイドウォール（複数）とエンドウォール（複数）の結合部（複数の間）の間には、シール機構が必要である。サイドウォール１０３、１０４は、単一または複数のラムや、その他の適した方法で動かすことができる。サイドウォール１０３、１０４は、必ずしも平面である必要はなく、交差角度が異なる変形箇所を設けて、その横を通過する波の性状が変化するようにしてもよい。造波装置１０５から発生する波の大きさも調節ができる。コントローラを設けて、可変フロア１の形状と勾配全体、サイドウォール１０３、１０４の交差角度とその形状、及び、造波装置１０５を、単一または任意の組み合わせで制御可能にすることで、プール設計の自由度が高くなり、よって、種々多様な波が発生するプールを構成することができる。
【００５９】
可変フロアを海岸に設置して、海岸に打ち寄せる波の性状をコントロールすることもできる。特に浮揚セグメントを用いた実施例は、海や湖の岩礁や人工硬床における使用が考えられる。岩礁や人工硬床は、可変フロアの安定性を高める。すなわち、可変フロアは、様々に形状を変化する岩礁を作り出すのに活用できる。
【００６０】
可変フロア１は、プールの一部として最初から組み込んで製造することもできるし、既存のプールに設置することもできる。既存のプールフロアに設置する場合は、ウェーブプールのフロアの上面を複数のプレートで形成し、また、各プレートの位置と固定フロアからの高さを調節する方法を設ける。ケーブル配線とコントローラを設置し、プールフロア、サイドウォール及び造波装置を遠隔操作できるようにしてもよい。
【００６１】
以上の説明では、特定の数値や構成要素に言及したが、他に同等のものがあれば、それらも本発明で説明したものと見做す。
【００６２】
また、実施例を挙げて本発明の説明をしたが、当然ながら、添付の請求項に記載の発明の範囲を超えずとも、それらには様々な応用や改良が可能である。
【図面の簡単な説明】
【００６３】
【図１】図１は、本発明の一態様であるウェーブプール用のフロアを含むウェーブプールの概略平面図である。
【図２】図２は、図１のウェーブプールの概略側面図である。
【図３】図３は、図1及び図２のウェーブプールの概略端面図である。
【図１】
2005524789.tif 000003
【図２】
2005524789.tif 000004
【図３】
2005524789.tif 000005
【国際調査報告】
2005524789.tif 000006
2005524789.tif 000007
2005524789.tif 000008